(57)【要約】      （修正有）【課題】柱管の上部に標識や照明器具を取り付けるアームを有する鋼管ポールを降雪地帯で用いても、柱管とアームとの接合部に着氷した氷の塊が落下する事故を防止することができる鋼管ポールを提供する。【解決手段】柱管１の上部に標識や照明器具を取り付けるアーム５を有する鋼管ポールであって、前記柱管１の上部に該柱管と交差して鞘管７が溶接接合され、該鞘管７の端部に第１フランジ３が設けられており、長手方向の途中に第２フランジ３’を有するアーム５における、該第２フランジ３’より根元の部分を、前記鞘管７の内部に挿入して、前記第１フランジ３と第２フランジ３’とを締結ボルト６により接合し、前記柱管１とアーム５との接合部に補強リブプレートを使用せず雪溜りを防止することを特徴とする鋼管ポール。【選択図】図３
2008095292.tif 000002
【特許請求の範囲】
【請求項１】
柱管の上部に標識や照明器具を取り付けるアームを有する鋼管ポールであって、前記柱管の上部に該柱管と交差して鞘管が溶接接合され、該鞘管の端部に第１フランジが設けられており、
長手方向の途中に第２フランジを有するアームにおける、該第２フランジより根元の部分を、前記鞘管の内部に挿入して、前記第１フランジと第２フランジとを締結ボルトにより接合し、前記柱管とアームとの接合部に補強リブプレートを使用せず雪溜りを防止することを特徴とする鋼管ポール。
【請求項２】
前記アームの横断面に頂角θ：６０〜９０度の頂部を有することを特徴とする請求項１に記載の鋼管ポール。
【請求項３】
前記鞘管の底部、および、前記アームの根元端部の偏芯した位置に、位置決め用のボルト穴を有し、該ボルト穴に位置決めボルトを取り付けて固定したことを特徴とする請求項１または請求項２に記載の鋼管ポール。
【発明の詳細な説明】
【技術分野】
【０００１】
本発明は、柱管の上部に標識や照明器具を取り付けるアームを有する鋼管ポールに関する。
【０００２】
具体的には、例えば、道路標識、外灯、信号などに用いる円形鋼管や角形鋼管を使用した鋼管ポールに関する。
【背景技術】
【０００３】
道路標識、外灯、信号などに用いる円形鋼管や角形鋼管を使用した鋼管ポールは、強風などよる繰り返し荷重に長期間耐える耐久性と施工性に加えて、美観が求められており、鋼管をコンクリートに直接埋め込む方法や、柱管にベースプレートを設け埋め込みボルト（通称アンカーボルト）によりベースプレートを固定する方法が用いられており、従来から種々の提案がなされている。
【０００４】
例えば、特開２００４−１３７７８０号公報（特許文献１）には、固定ボルトを、ベースプレートを挟んで埋設体にねじ込むことによって、ベースプレートの上面から固定ボルトの頭部がほとんど突出しないようにすることができ、管本体とベースプレートとの間に補強用のリブを設けない場合は、ベースプレートの上面から突起物を排除してフルフラット化でき、歩行の妨げ等の邪魔になることのない、アンカーによる鋼管ポールの固定構造が提案されている。
【０００５】
また、柱管の上部に標識や照明器具を取り付けるアームを有する鋼管ポールの柱管とアームとの接合部には補強リブプレートが設置されており、特許文献１に記載されたリブを使用しない構造を、柱管とアームの接合部に適用することは設置スペースの制約から困難であった。
【０００６】
また、柱管とアームとの接合部には補強リブプレートを有する従来の鋼管ポールを降雪地帯で用いると、補強リブプレートの上面に形成されたポケットに積雪し、これが溶けて固まって氷になって着氷し、外気温度が上昇するとこの氷の塊が落下して通行人に怪我を負わせたり、自動車のボンネットを損傷したりするという問題点があった。
【特許文献１】特開２００４−１３７７８０号公報
【発明の開示】
【発明が解決しようとする課題】
【０００７】
本発明は、前述のような従来技術の問題点を解決し、柱管の上部に標識や照明器具を取り付けるアームを有する鋼管ポールを降雪地帯で用いても、柱管とアームとの接合部に着氷した氷の塊が落下する事故を防止することができる鋼管ポールを提供することを課題とする。
【課題を解決するための手段】
【０００８】
本発明は、前述の課題を解決するために鋭意検討の結果、柱管とアームとの接合部に鞘管を用いることにより補強リブプレートを使用しない鋼管ポールを提供するものであり、その要旨とするところは特許請求の範囲に記載した通りの下記内容である。
（１）柱管の上部に標識や照明器具を取り付けるアームを有する鋼管ポールであって、前記柱管の上部に該柱管と交差して鞘管が溶接接合され、該鞘管の端部に第１フランジが設けられており、
長手方向の途中に第２フランジを有するアームにおける、該第２フランジより根元の部分を、前記鞘管の内部に挿入して、前記第１フランジと第２フランジとを締結ボルトにより接合し、前記柱管とアームとの接合部に補強リブプレートを使用せず雪溜りを防止することを特徴とする鋼管ポール。
（２）前記アームの横断面に頂角θ：６０〜９０度の頂部を有することを特徴とする（１）に記載の鋼管ポール。
（３）前記鞘管の底部、および、前記アームの根元端部の偏芯した位置に、位置決め用のボルト穴を有し、該ボルト穴に位置決めボルトを取り付けて固定したことを特徴とする（１）または（２）に記載の鋼管ポール。
＜作用＞
（１）の発明によれば、長手方向の途中に第２フランジを有するアームにおける、該第２フランジより根元の部分を、前記鞘管の内部に挿入して、前記第１フランジと第２フランジとをボルトにより接合しているので、鞘管に差し込まれたアームの根元部分が鞘管の内面に当接することにより、アームに働く荷重などの外力や曲げモーメントを支柱に伝達することができ、従来の補強リブプレートと同等以上の補強効果があるので、補強リブプレートを使用する必要がなく、この補強リブプレートの上部に形成されていた雪溜りを防止することができる。
（２）の発明によれば、アームの横断面に頂角θ：６０〜９０度の頂部を有するので、アームの上面への積雪と着氷を低減することができる。
（３）の発明によれば、鞘管の底部、および、アームの根元端部の偏芯した位置に、位置決め用のボルト穴を有し、該ボルト穴に位置決めボルトを取り付けて固定し、アーム周方向の設置方向きを間違えることを防止し標識や照明装置を正しい方向に設置することができるうえ、柱管とアームとの組立て時に仮止めすることができるので組立て作業が効率化できる。
【発明の効果】
【０００９】
本発明によれば、柱管とアームとの接合部に鞘管を用いることにより補強リブプレートを使用する必要がなく、柱管の上部に標識や照明器具を取り付けるアームを有する鋼管ポールを降雪地帯で用いても、柱管とアームとの接合部に着氷した氷の塊が落下する事故を防止することができる鋼管ポールを提供することができ、具体的には、以下のような産業上有用な著しい効果を奏する。
１）柱管とアームとの接合部に補強リブプレートを使用する必要がなく、この補強リブプレートの上部に形成されていた雪溜りを防止することができる。
２）アームの上面への積雪と着氷を低減することができる。
３）アーム周方向の設置方向を間違えることを防止し標識や照明装置を正しい方向に設置することができるうえ、柱管とアームとの組立て時に仮止めすることができるので組立て作業が効率化できる。
【発明を実施するための最良の形態】
【００１０】
発明を実施するための最良の形態について、図１〜図４を用いて詳細に説明する。
【００１１】
図１および図２は従来の補強リブプレートを使用した鋼管ポールを例示する図であり、図２はその柱管とアームとの接合部を例示する図である。
図１および図２において、１は柱管、２はベースプレート、３は第１フランジ、３´は第２フランジ、４は補強リブプレート、５はアーム、６は締結ボルトを示す。
図１に示すように、柱管１の上部に標識や照明器具を取り付けるアーム５を有する鋼管ポールにおいては、柱管１とアーム５との接合部に補強リブプレート４を設け、アーム５に働く荷重などの外力や曲げモーメントを支持することにより、アームの破損や変形を防止していた。
【００１２】
図２は、図１に示す従来の鋼管ポールにおける柱管とアームとの接合部を示す図である。
【００１３】
図２に示すように、柱管１の上部に標識や照明器具を取り付けるアーム５を有する従来の鋼管ポールは、柱管１とアーム５を接合する第１フランジ３および第２フランジ３´の前後に補強リブプレート４を周方向の複数箇所（図２の例では６箇所）に設けることによって、アームに荷重などの外力や曲げモーメントが長期間働いても折れたり、曲がったりしない構造になっている。
しかし、この従来の鋼管ポールを降雪地帯で用いると、リブプレート４の上面に形成された凹状のポケットに積雪し、これが溶けて固まって氷になって着氷し、外気温度が上昇するとこの氷の塊が落下して通行人に怪我を負わせたり、自動車のボンネットを損傷したりするという問題点があった。
単純に補強リブプレート４を取り除くとアームの疲労強度が不足してアームが破断して落下する危険性があるので、接合部のフランジだけで強度を確保しようとすると、大きく厚い材料を使用し締結ボルトも大きくする必要があり現実的でなかった。
前述の着氷現象を防止する方法としては、アームを加温したり、アームの材料を雪が滑りやすい素材としたりする工夫が考えられるが、補強リブプレート４の上面に形成される凹状のポケットによる雪溜りを防止することはできなかった。
【００１４】
そこで、本発明の鋼管ポールは、柱管の上部に標識や照明器具を取り付けるアームを有する鋼管ポールであって、前記柱管の上部に該柱管と交差して鞘管が溶接接合され、該鞘管の端部に第１フランジが設けられており、長手方向の途中に第２フランジを有するアームにおける、該第２フランジより根元の部分を、前記鞘管の内部に挿入して、前記第１フランジと第２フランジとを締結ボルトにより接合し、前記柱管とアームとの接合部に補強リブプレートを使用せず雪溜りを防止することを特徴とする。
【００１５】
図３は、本発明の鋼管ポールにおける柱管とアームとの接合部を例示する図であり、図４は本発明の鋼管ポールに用いるアームの横断面を例示する図である。
【００１６】
図３および図４において、１は柱管、３は第１フランジ、３´は第２フランジ、５はアーム、６は締結ボルト、７は鞘管、８は位置決めボルト、９はボルト穴（鞘管底部）、９´はボルト穴（アーム根元端部）、θはアーム断面の頂角（度）を示す。
【００１７】
図３（ｂ）に示すように、柱管１と鞘管７とを交差させて溶接接合されており、鞘管７の端部には第１フランジ３が設けられており、この鞘管７の内径はアーム５の外径より１ランク大きいサイズの管を用いることにより、鞘管７の内部にアーム５の根元部を挿入して固定することができる。
【００１８】
また、図３（a）に示すようにアーム５の長手方向の途中に第２フランジ３´を設け、該第２フランジ３´より根元の部分を、鞘管７の内部に挿入して、第１フランジ３と第２フランジと３´を締結ボルトにより接合して図３（ｃ）に示すように組み立てることにより、アーム５が柱管１に貫通しているので強度が強く、アーム５に大きな荷重などの外力や曲げモーメントが働くと、鞘管７の内面にアーム５の外面が当接することにより荷重などの外力や曲げモーメントを支持してアーム５の破断や変形を防止することができるうえ、接合フランジ３、３´は脱落と回転を防止できればよいので小さくできこの部分の積雪も減少できる。
【００１９】
図３（ｃ）に示すように、本発明の鋼管ポールは、従来の鋼管ポール（図２）において必要であった柱管１とアーム５の接合部における補強リブプレートが必要ないので、補強リブプレートの上部に形成されていた凹状のポケット部が生じないので雪溜りとその氷着現象を防止することができる。
【００２０】
また、図３（a）(b)に示すように、鞘管７の底部およびアームの根元端部の偏芯した位置にボルト穴９、９´を設け、このボルト穴９、９´に図３（ｃ）に示すように、位置決め用ボルト８を取り付けることにより、アーム５の周方向における設置方向を間違わずに設置することができ標識や照明装置を正しい方向に設置することができるうえ、鞘管７とアーム５とを仮止めすることができるので組立て作業が効率化できる。
【００２１】
また、図４（a）(b)に示すように、アーム５の横断面の形状を、頂角θが６０〜９０（度）の頂部を有する形状とし、この頂部が上側になるようにアーム５を取り付けることにより、アーム５の上への積雪を低減することができる。
【００２２】
なお、アームの断面形状は、例えば図４（a）のように円管に冷間プレス加工により頂部を形成させたものでもよく、 図４(b)に示すように角管を冷間プレス加工により変形させたものでもよい。
【００２３】
なお、頂角θは鋭角であれば積雪抑制効果が認められるが６０度未満では
積雪抑制効果は高くなるが、逆に鋼管の強度が低下するため６０〜９０（度）が好ましい範囲である。
【実施例】
【００２４】
図３および図４（a）に示す本発明の鋼管ポールを下記条件で実施した。
＜実施条件＞
・  柱管の径：216.3mmφ、板厚：5.8mm
・  アームの径：139.8mmφ、板厚：4.0mm
・  アーム断面の頂角θ（度）：70.0度
・  鞘管の径：165.2mmφ、板厚：4.0mm
その結果、図２に示す従来の鋼管ポールに比べて柱管とアームの接合部およびアーム上面に積もる雪は著しく低減でき、本発明の効果が確認された。
【産業上の利用可能性】
【００２５】
以上のように、本発明の鋼管ポールは、柱管の上部に標識や照明器具を取り付けるアームを有する鋼管ポールを降雪地帯で用いても、柱管とアームとの接合部に着氷した氷の塊が落下する事故を防止することができるので降雪地帯への適用が好ましいが、柱管とアームとの接合部に補強リブプレートを使用しないので美感上も好ましいので温暖地帯への適用拡大が期待される。
【図面の簡単な説明】
【００２６】
【図１】従来の補強リブプレートを使用した鋼管ポールを例示する図である。
【図２】従来の補強リブプレートを使用した鋼管ポールにおける柱管とアームとの接合部を例示する図である。
【図３】本発明の鋼管ポールにおける柱管とアームとの接合部を例示する図である。
【図４】本発明の鋼管ポールに用いるアームの横断面を例示する図である。
【符号の説明】
【００２７】
１  柱管              
２  ベースプレート              
３  第１フランジ
３´第２フランジ
４  補強リブプレート
５  アーム
６  締結ボルト
７  鞘管
８  位置決めボルト
９  ボルト穴（鞘管底部）
９´ボルト穴（アーム根元端部）
θ  アーム断面の頂角（度）
【図１】
2008095292.tif 000003
【図２】
2008095292.tif 000004
【図３】
2008095292.tif 000005
【図４】
2008095292.tif 000006